【事件の表示】
　特許第２８８４７２２号「液晶ディスプレイ」の請求項１に係る特許に対する特許異議の申立てについて、次のとおり決定する。
【結　論】
　訂正を認める。
　特許第２８８４７２２号の請求項１に係る特許を維持する。
【理　由】
１．手続きの経緯
  本件特許第２８８４７２２号に係る出願は、平成２年６月１８日に出願され、平成１１年２月１２日にその設定登録がなされ、その後、セイコーエプソン株式会社より特許異議の申立てがなされ、取消理由が通知され、その指定期間内である平成１２年４月１７日に訂正請求がなされ、訂正拒絶理由が通知され、その指定期間内である平成１３年３月５日に訂正請求の補正がなされ、再度の取消理由が通知され、その指定期間内である平成１３年４月１６日に、先の訂正請求を取り下げるとともに、新たな訂正請求がなされたものである。
２．訂正の適否についての判断
（１）訂正の内容
　訂正の内容は、特許請求の範囲の請求項１、
「液晶ディスプレイ本体の液晶パネルの背面に、反射板に少なくとも発光体とコネクタをユニット化して成る反射板ユニットを着脱自在に取付け、この反射板ユニットのコネクタにＤＡインバータのコネクタを着脱自在に結合したことを特徴とする液晶ディスプレイ。」
を、
「液晶ディスプレイ本体の液晶パネルの背面に、反射板に少なくともＵ字状の発光体とコネクタをユニット化して成る反射板ユニットを着脱自在に取付け、この反射板ユニットの上記発光体の両端部近傍に回路基板を介して夫々取付けられた第１のコネクタに、ＤＡインバータの回路基板の両端に夫々取付けられ上記第１のコネクタに対応する第２のコネクタを着脱自在に結合したことを特徴とする液晶ディスプレイ。」
と訂正し、明細書の記載を、特許請求の範囲の訂正事項に整合するように訂正するものである。
　
（２）訂正の目的の適否、新規事項の有無及び拡張・変更の存否
　特許請求の範囲の訂正は、「発光体」を「Ｕ字状」と限定し、反射板ユニットの「コネクタ」を「発光体の両端部近傍に回路基板を介して夫々取付けられた第１のコネクタ」と限定し、ＤＡインバータの「コネクタ」を「回路基板の両端に夫々取付けられ上記第１のコネクタに対応する第２のコネクタ」と限定するものであるから、特許請求の範囲の減縮を目的とするものに該当し、また、明細書の訂正は、特許請求の範囲の訂正に合わせた訂正であるから、明りょうでない記載の釈明に該当し、共に新規事項の追加にも、実質的に特許請求の範囲を拡張・変更するものにも該当しない。
　
（３）独立特許要件の検討
ｉ）引用例
　取消理由通知に引用した、本件出願前公知である、特開昭６２−１１１２３３号公報（以下、引用例１という。）には、
「ビデオカメラ等に搭載して撮像確認するビューファインダーにおいて、視認方向に対して垂直以外に傾いた液晶画像表示体と、蛍光管を用いた液晶画像表示体照明手段と、液晶画像表示体を駆動する電気回路を備えたことを特徴とするビューファインダー。」（特許請求の範囲第１項）、
「６は蛍光管であり液晶パネルブロック２の裏側に配置されていてこれが発光することにより液晶パネルブロックを照明し、画像を浮き出させる。・・・７は反射板であり、蛍光管６で発せられた光を液晶パネルブロック側に効率よく反射する作用を持つ。８はコネクターＢであり、蛍光管６と回路ブロック４を電気的に結合させる。なおコネクターＢ８は回路ブロック４と蛍光管６を分離できるよう着脱自在となっているため、組立性やアフターサービス時の交換性が良い。９は蛍光管基板であり、蛍光管から出ているリード線をはんだ付け等により実装し、コネクターＢとの結合をしている。１０は蛍光管ふたであり、蛍光管６及び反射板７等とユニット化されていてビューファインダー本体へ着脱できるようになっている。」（公報２頁左下欄１８行〜右下欄１４行）、
「本発明におけるもう一つの大きな特徴として液晶パネルの照明用光源がある。本発明では液晶パネルのメリットである薄型小型の特徴を損なわないため、照明用光源も小型の蛍光管をユニット化して使用している。蛍光管基板９と一体化された蛍光管６は反射板７と蛍光管ふた１０との間にはさみ込まれて一体化されている。反射板７と蛍光管ふた１０とは喰付等により固定される。ユニット化された光源部は回路ブロックと着脱可能なコネクターＢ８により電気的に結ばれており、ビューファインダー本体とねじによりユニット毎交換できるようになっている。・・・反射板７と蛍光管ふた１０とは外せるので蛍光管交換時に光源部をユニットで全て交換する必要はない。」（公報３頁右上欄９行〜左下欄５行）と記載されており、第４図には、蛍光管６は直線円柱状であり、コネクターＢ８は蛍光管６の一方の端部付近の蛍光管基板９に接続される１個のみであることが示されている。
　よって引用例１には、
「液晶パネルブロックの裏側に配置された蛍光管、反射板、コネクターＢがユニット化され、蛍光管から出ているリード線をはんだ付け等により実装した蛍光管基板がコネクターＢと結合し、該コネクターＢは回路ブロックと着脱自在に結合しているビューファインダー」
の発明（以下、「引用発明」という。）が記載されている。
　同じく実願昭６１−５９９６号（実開昭６２−１１８３３８号）のマイクロフィルム（以下、引用例２という。）には、
「（１）蛍光管の端末に固着された基板枠に基板が装着されており、前記基板にリード線が実装されていることを特徴とする蛍光管構造。
（２）基板枠は蛍光管の両端のうち片側端のみに固着され、逆側の一端の電極は蛍光管外周に沿って配線し、一方へ電極処理をまとめたことを特徴とする実用新案登録請求の範囲第１項記載の蛍光管構造。
・・・
（４）基板枠の一部を光の反射面にしたことを特徴とする実用新案登録請求の範囲第（１）項記載の蛍光管構造。」（実用新案登録請求の範囲１、２、４項）、
「本考案は、例えば液晶テレビのバックライトに用いられる蛍光管の構造に関するものである。」（明細書２頁５行〜６行）、
「第１図、第２図は本考案の同一実施例を示す。１１は蛍光管、１２は基板、１３は蛍光管のフィラメントより出ているリード線で基板１２へはんだ付けにより実装されている。１４は蛍光管と駆動回路とをつなぐリード線で一端を基板１２にはんだ付けにより実装され逆の一端をコネクター１５に装着されている。コネクター１５は駆動回路に係合する。・・・蛍光管の交換は駆動回路からコネクター１５を抜くことによりできるが、この場合も基板部が片側にまとまっているので軸方向から蛍光管の着脱ができる。」（明細書４頁８行〜６頁１０行）、
「第５図、第６図も本考案における他の実施例を示すものである。・・・基板枠５６の内面側は蛍光管の光を有効に反射させる作用を出す。特に内面側の仕上を白色又はメッキ色等にしておくとさらに反射効果は上がる。」（明細書６頁４行〜１０行）と記載されている。
　
ii）対比
　訂正後の請求項１に係る発明（以下、訂正発明という。）と引用発明とを対比すると、引用発明の「ビューファインダー」、「液晶パネルブロック」、「蛍光管」、「コネクターＢ」、「蛍光管基板」及び「回路ブロック」は、訂正発明の「液晶ディスプレイ」、「液晶パネル」、「発光体」、「コネクタ」、「回路基板」及び（ＤＡインバータの）「回路基板」に相当するから、両者は、
「液晶ディスプレイ本体の液晶パネルの背面に、反射板に少なくとも発光体とコネクタをユニット化して成る反射板ユニットを着脱自在に取付け、この反射板ユニットの上記発光体の端部近傍に回路基板を介して取付けられたコネクタを、回路基板に着脱自在に結合した液晶ディスプレイ」
である点で一致しており、
ａ．発光体が、訂正発明では「Ｕ字状」であるのに対し、引用例１には直線円柱状のものしか記載されていない点、
ｂ．反射板ユニットのコネクタが、訂正発明では「発光体の両端部近傍」に夫々取付けられているのに対し、引用例１では「蛍光管の一方の端部付近」に１個だけ取り付けられている点、
ｃ．回路基板は、訂正発明では「ＤＡインバータ」を有しているのに対し、引用発明ではＤＡインバータは記載されていない点、
ｄ．訂正発明では「回路基板の両端に」第１のコネクタに対応する第２のコネクタを有しているのに対し、引用発明では回路ブロックにはコネクターＢに対応するコネクタを有していない点
で相違している。
　
iii）当審の判断
　訂正発明は、上記相違点ｂ及びｄに係る構成を有することにより、特許明細書に記載の「組立・分解が容易で信頼性が向上する」、ＤＡインバータ用の「高圧コードの配線処理が不要となる」等の作用効果を奏するものであるが、引用例１や引用例２には、上記相違点ａないしｄに関する記載や開示はなく、単に、ＤＡインバータやＵ字状発光体を使用することが周知であったとしても、液晶ディスプレイにおいて、相違点ｂや相違点ｄが公知であるとの証拠もないから、訂正発明は、引用発明１に基づいて、当業者が容易に発明をすることができたものではない。
　したがって、訂正発明は、特許出願の際、独立して特許を受けることができるものである。
　
（４）むすび
　以上のとおりであるから、本件訂正は、特許法等の一部を改正する法律（平成６年法律第１１６号）附則第６条第１項の規定によりなお従前の例によるとされる、平成１１年改正前の特許法第１２０条の４第２項及び同第３項において準用する平成６年法律第１１６号による改正前の特許法第１２６条第１項ただし書、第２項及び第３項の規定に適合するので、当該訂正を認める。
　
３．特許異議申立について
（１）請求項に係る発明
　本件特許第２８８４７２２号の請求項１に係る発明は、訂正された特許明細書及び図面の記載からみて、その特許請求の範囲の請求項１に記載されたとおりのものである。
　
（２）特許異議申立ての理由の概要
  これに対して、特許異議申立人セイコーエプソン株式会社は、甲第１号証として、特開昭６２−１１１２３３号公報、甲第２号証として、実願昭６１−５９９６号（実開昭６２−１１８３３６号）のマイクロフィルム、参考資料１として、特開昭６３−３１３１３６号公報、参考資料２として、特開昭６３−２５６８４号公報、参考資料３として、特開平１−２３７５９０号公報、参考資料４として、特開平２−８４６１８号公報を提示して、本件の請求項１に係る発明は、甲第１号証及び甲第２号証に記載された発明と同一又は該発明に基づいて当業者が容易に発明をすることができたものであるから、特許法第２９条第１項第３号又は同第２９条第２項の規定により、特許を受けることができないものである、旨主張している。
　
（３）甲各号証記載の発明
  特許異議申立人の提示した甲第１号証及び甲第２号証は、取消理由に通知した引用例１及び引用例２であるから、上記、２．（３）ｉ）引用例に示した発明が記載されている。
　また、参考資料１ないし参考資料４は、液晶表示パネルのバックライトである蛍光管をＤＡインバータ駆動することが周知であることを示す証拠である。
　
（４）対比・判断
　本件の請求項１に係る発明は、上記２．（３）iii）当審の判断、に示した理由により、特許異議申立人の提示した甲各号証に記載された発明と同一ではなく、また、参考資料１ないし参考資料４を参照しても、該発明に基づいて当業者が容易に発明をすることができたものではない。
　
（５）むすび
  以上のとおりであるから、本件請求項１に係る発明の特許は、特許異議申立ての理由及び証拠によっては取り消すことができない。
  また、他に本件請求項１に係る発明の特許を取り消すべき理由を発見しない。
　
　よって、結論のとおり決定する。
【異議決定日】
平成１３年４月１９日（２００１．４．１９）
【訂正の要旨】
１．訂正事項１
特許請求の範囲の請求項１、
「液晶ディスプレイ本体の液晶パネルの背面に、反射板に少なくとも発光体とコネクタをユニット化して成る反射板ユニットを着脱自在に取付け、この反射板ユニットのコネクタにＤＡインバータのコネクタを着脱自在に結合したことを特徴とする液晶ディスプレイ。」
を、
「液晶ディスプレイ本体の液晶パネルの背面に、反射板に少なくともＵ字状の発光体とコネクタをユニット化して成る反射板ユニットを着脱自在に取付け、この反射板ユニットの上記発光体の両端部近傍に回路基板を介して夫々取付けられた第１のコネクタに、ＤＡインバータの回路基板の両端に夫々取付けられ上記第１のコネクタに対応する第２のコネクタを着脱自在に結合したことを特徴とする液晶ディスプレイ。」
と訂正する。
２．訂正事項２
　明細書【発明の概要】の欄、
「この発明は、ＴＶ一体型ＶＴＲ等に用いられる液晶ディスプレイにおいて、液晶ディスプレイ本体の液晶パネルの背面に、反射板に少なくとも発光体とコネクタをユニット化して成る反射板ユニットを着脱自在に取付け、この反射板ユニットのコネクタにＤＡインバータのコネクタを着脱自在に結合したことにより、液晶ディスプレイの組立・分解を容易に行うことができ、蛍光管等の交換時に容易に交換できてサービス性をより向上させることができるようにしたものである。」
を、
「この発明は、ＴＶ一体型ＶＴＲ等に用いられる液晶ディスプレイにおいて、液晶ディスプレイ本体の液晶パネルの背面に、反射板に少なくともＵ字状の発光体とコネクタをユニット化して成る反射板ユニットを着脱自在に取付け、この反射板ユニットの上記発光体の両端部近傍に回路基板を介して夫々取付けられた第１のコネクタに、ＤＡインバータの回路基板の両端に夫々取付けられ上記第１のコネクタに対応する第２のコネクタを着脱自在に結合したことにより、液晶液晶ディスプレイの組立・分解を容易に行うことができ蛍光管等発光体の交換時に容易に交換できてサービス性をより向上させることができるようにしたものである。」
と訂正する。
３．訂正事項３
　明細書【問題を解決するための手段】の欄、
「液晶ディスプレイ本体の液晶パネルの背面に、反射板に少なくとも発光体とコネクタをユニット化して成る反射板ユニットを着脱自在に取付け、この反射板ユニットのコネクタにＤＡインバータのコネクタを着脱自在に結合してある。」
を、
「液晶ディスプレイ本体の液晶パネルの背面に、反射板に少なくともＵ字状の発光体とコネクタをユニット化して成る反射板ユニットを着脱自在に取付け、この反射板ユニットの上記発光体の両端部近傍に回路基板を介して夫々取付けられた第１のコネクタに、ＤＡインバータの回路基板の両端に夫々取付けられ上記第１のコネクタに対応する第２のコネクタを着脱自在に結合してある。」
と訂正する。
４．訂正事項４
　明細書【作用】の欄、
「液晶ディスプレイ本体の液晶パネルの背面に、反射板に少なくとも発光体とコネクタをユニット化して成る反射板ユニットを着脱自在に取付け、この反射板ユニットのコネクタにＤＡインバータのコネクタを着脱自在に結合したので、液晶ディスプレイは容易に組立てられ、また、分解される。これにより、液晶ディスプレイの組立作業性、蛍光管等の交換時のサービス性の向上が一層図られる。」
を、
「液晶ディスプレイ本体の液晶パネルの背面に、反射板に少なくともＵ字状の発光体とコネクタをユニット化して成る反射板ユニットを着脱自在に取付け、この反射板ユニットの上記発光体の両端部近傍に回路基板を介して夫々取付けられた第１のコネクタに、ＤＡインバータの回路基板の両端に夫々取付けられ上記第１のコネクタに対応する第２のコネクタを着脱自在に結合したので、液晶ディスプレイの着脱・組立てがきわめて容易になると共に取付け状態が安定し、更には、コードの処理が不要となる。これにより、液晶ディスプレイの組立作業性、蛍光管等発光体の交換時のサービス性の向上が一層図られる。」
と訂正する。
５．訂正事項５
　明細書【発明の効果】の欄、
「以上のように、この発明によれば、液晶ディスプレイ本体の液晶パネルの背面に、反射板に少なくとも発光体とコネクタをユニット化して成る反射板ユニットを着脱自在に取付け、この反射板ユニットのコネクタにＤＡインバータのコネクタを着脱自在に結合するようにしたので、液晶ディスプレイを容易に組立てたり分解することができる。これにより、上記液晶ディスプレイの組立作業性、発光体等の交換時のサービス性をより一層向上させることができる。」
を、
「以上のように、この発明によれば、液晶ディスプレイ本体の液晶パネルの背面に、反射板に少なくともＵ字状の発光体とコネクタをユニット化して成る反射板ユニットを着脱自在に取付け、この反射板ユニットの上記発光体の両端部近傍に回路基板を介して夫々取付けられた第１のコネクタに、ＤＡインバータの回路基板の両端に夫々取付けられ上記第１のコネクタに対応する第２のコネクタを着脱自在に結合したので、液晶ディスプレイの着脱・組立てがきわめて容易になると共に取付け状態が安定し、更には、コードの処理が不要となる。これにより上記液晶ディスプレイの組立作業性、発光体等の交換時のサービス性をより一層向上させることができる。」
と訂正する。
（５４）【発明の名称】
液晶ディスプレイ
（５７）【特許請求の範囲】
（１）液晶ディスプレイ本体の液晶パネルの背面に、反射板に少なくとも
Ｕ字状の
上記発光体の両端部近傍に回路基板を介して夫々取付けられた第１のコネクタに、ＤＡインバータの回路基板の両端に夫々取付けられ上記第１のコネクタに対応する第２のコネクタを
【発明の詳細な説明】
　［産業上の利用分野］
　この発明は、携帯に便利な小型のＴＶ一体型ＶＴＲ等に用いられる液晶ディスプレイに関する。
　［発明の概要］
　この発明は、ＴＶ一体型ＶＴＲ等に用いられる液晶ディスプレイにおいて、液晶ディスプレイ本体の液晶パネルの背面に、反射板に少なくとも
Ｕ字状の
上記発光体の両端部近傍に回路基板を介して夫々取付けられた第１のコネクタに、ＤＡインバータの回路基板の両端に夫々取付けられ上記第１のコネクタに対応する第２のコネクタ
発光体
　［従来の技術］
　例えば、ＴＶ一体型ＶＴＲに用いられる液晶ディスプレイには、液晶パネルのバックライトとして蛍光管、反射板が用いられている。そして、ＤＡインバータの高圧出力をハーネスで蛍光管ソケットに持っていったり、或は、ＤＡインバータの高圧の出力を一旦ＬＣＤ（液晶パネル）ユニットの回路基板に落とし、該回路基板にパターンを引き回して蛍光管ソケットに持っていったりしていた。
　［発明が解決しようとする課題］
　しかしながら、従来の上記液晶ディスプレイでは、蛍光管とＤＡインバータ等をハーネスで半田付け等の手段を介して組立てていたため、配線処理が非常に難しく液晶ディスプレイの組立が煩雑であった。また、蛍光管等の交換時には、回路基板、反射板等を分解してからでないと交換することができないため、サービス性が悪かった。そこで、この発明は、組立作業性、サービス性等の向上を図ることができる液晶ディスプレイを提供するものである。
　［課題を解決するための手段］
　液晶ディスプレイ本体の液晶パネルの背面に、反射板に少なくとも
Ｕ字状の
上記発光体の両端部近傍に回路基板を介して夫々取付けられた第１のコネクタに、ＤＡインバータの回路基板の両端に夫々取付けられ上記第１のコネクタに対応する第２のコネクタ
　［作用］
　液晶ディスプレイ本体の液晶パネルの背面に、
反射板に少なくともＵ字状の
とコネクタ
上記発光体の両端部近傍に回路基板を介して夫々取付けられた第１のコネクタに、ＤＡインバータの回路基板の両端に夫々取付けられ上記第１のコネクタに対応する第２のコネクタ
着脱・組立てがきわめて容易になると共に取付け状態が安定し、更にはコードの処理が不要となる。
　［実施例］
　以下、この発明の一実施例を図面と共に詳述する。
　第８図において、１は上前部に液晶ディスプレイ３を有した筐型のＴＶ一体型ＶＴＲである。このＴＶ一体型ＶＴＲ１のＶＴＲ本体２の上後部は８ｍｍのテープカセット（図示したい）を使って記録、再生するＶＴＲデッキ部２ａに成っていると共に、このＶＴＲ本体２の上前部の薄１肉部２ｂに上記液晶ディスプレイ３の筐型の液晶ディスプレイ本体４を該ＶＴＲ本体２の上中央部内に配設されたヒンジ５を介して傾倒水平状態から上方に約５５・回転して起立できるように起立、傾倒自在に支持してある。
　上記ＶＴＲ本体２の上面中央には、第２図に示すように、液晶ディスプレイ３に映し出されるテレビ番組を選局するためのチャンネルボタン（＋，−）１０、テレビ番組を録画するための録画ボタン１１、一時停止ボタン１２、巻戻しボタン１３、早送りボタン１４、再生ボタン１５、停止ボタン１６等をそれぞれ併設してある。また、上記チャンネルボタン１０の上方にはタイマー録画ランプ１７ａを、上記停止ボタン１６の上方には電源（パワー）ランプ１７ｄ等を、それぞれ併設してある。
　また、上記ＶＴＲ本体２の右側面には、第３図に示すように、ビデオカメラ、映像／音声入力端子付きのテレビやモニター（いずれも図示しない）を接続する際に用いる映像／音声端子１８、ビデオカメラを接続して戸外での撮影等を録画する際に用いるカメラコネクタ１９をそれぞれ設けてある。このカメラコネクタ１９の上方には後述するカメラライン切り換えスイッチを兼用した電源（パワー）スイッチ２０を配設してある。さらに、上記ＶＴＲ本体２の左側面の電源スイッチ２０と対向する位置には、第４図に示すように、テープカセットを取り出すためのイジェクトボタン３０を配設してあると共に、液晶ディスプレイ３の下方には外部アンテナ端子３１を設けてある。また、上記ＶＴＲ本体２の正面には、第５図に示すように、一対のバンドストラップ用金具３２，３２、ロッドアンテナ３３，ＤＣ電源出力端子３４、底面前部側に着脱自在に取付けられるバッテリー３５を取り外すバッテリー取り出しボタン３６をそれぞれ設けてある。
　上記電源スイッチ２０は、第３，１２図に示すように、中央に小孔２１ａを有して上記ＶＴＲ本体２の凹部２ｃの前後方向にスライドするスライダー２１と、このスライダー２１の小孔２１ａと上記凹部２ｃの長孔２ｄにそれぞれ押通するロック釦部（先端部）２２ａを有すると共に、上記スライダー２１のスライドにより上記凹部２ｃの内面側を移動して該内面に一体突出した一対の突起２ｅ，２ｅに係合、離反する一対の溝部２２ｂ，２２ｂを有したロックプレート２２と、このロックプレート２２の円柱状に一体突出した基部２２ｃを貫通させると共に、上記スライダー２１に一体突出成形された一対の爪部２１ｂ，２１ｂに挾持されて圧縮コイルバネ２３の付勢力により上記スライダー２１及びロックプレート２２を共に前方（カメラライン切り換え側）に常時付勢させる付勢プレート２４と、上記ロックプレート２２の基部２２ｃと上記付勢プレート２４との間に介在され、上記ロックプレート２２を上方に常時付勢する圧縮コイルバネ２５とで大略構成されている。
　この電源スイッチ２０は、第１１，１２図に示すように、通常はスライダー２１がロックプレート２２によりロックきれたセンターポジションにあり、ロックプレート２２のロック釦部２２ａを押さない限り、不用意に電源スイッチ２０が動かないようになっている。そして、この状態から、ＶＴＲ本体２の電源をオン／オフする場合には、第１３図に示すように、スライダー２１を矢印の方向にスライドさせることにより行う。この場合、上記スライダー２１より手を離すと、該スライダー２１は圧縮コイルバネ２３の付勢力により元のセンターポジションに第１３図中矢印のように戻る。
　また、上記ＶＴＲ本体２のカメラコネクタ１９にビデオカメラを接続して使用する場合には、通常のカメラー体型ＶＴＲと同様に、電源スイッチ２０により電源を入れた後、第１５，１６図に示すように、電源スイッチ２０のスライダー２１を電源オン／オフポジション方向と反対方向にスライドきせることによりダイレクトにカメラ操作できるようになっている（なおビデオカメラ側で電源をオン／オフ重も可能）。この場合、上記スライダー２１は圧縮コイルバネ２３の付勢力により第１５，１６図に示す状態に保持（ロック）される。なお、従来では、ビデオカメラの使用時には、電源スイッチにより電源を入れた後、電源スイッチとは別途に設けられたカメラ／テレビライン切り換えスイッチをカメラ側に切りかえることにより行っていたが、上記電源スイッチ２０では電源をオン／オンする他にカメララインに切り換える機能を兼用しているので、ビデオカメラ接続時の操作の簡便化を図ることができると共に、スイッチの個数を可及的に減らすことができるようになっている。
　前記液晶ディスプレイ本体４の上面４ａに形成きれた矩形の開口部４ｂには、合成樹脂等から成る透明板４０を固着してある。この透明板４０の下方にはカラー液晶パネル４１を配置してある。また、第９図に示すように、上記液晶ディスプレイ本体４の底面４ｃ側には所定手段を介して大型の回路基板４２を固定してある。これらカラー液晶パネル４１と回路基板４２の間には、上記液晶ディスプレイ本体４の左側面に形成された開口部４ｄより反射板ユニット５０を挿入自在にしてある。この反射板ユニット５０は、略矩形の合成樹脂製の反射板５１と、この反射板５１の中央に固定きれたＵ字型の蛍光管（発光体）５２と、この蛍光管５２の両端の一端側を半田付けすると共に、雄コネクタ５３を半田付けして上記反射板５１の蛍光管５２の両端側にそれぞれ取付けられた小型の一対の回路基板５４，５４と、上記反射板５１の背面から上記一対の回路基板５４，５４間の凹部内に突出するように核反射板５１の背面に取付けられたアース板５５とで構成きれている。
　この反射板ユニット５０の一対の雄コネクタ５３，５３には、ＤＡインバータ６０の一対の雌コネクタ６１，６１を着脱自在に取付けてある。このＤＡインバータ６０は、中央に回路基板６２を有している。この回路基板６２に上記一対の雌コネクタ６１，６１を半田付けにより固定してある。この回路基板６２の一端にはコネクタ６３を介してハーネス６４を固定してある。このハーネス６４の先端の雌コネクタ６５を、上記液晶ディスプレイ本体４の底面４ｃ側に取付けられた上記大型の回路基板の４２に固定きれた雄コネクタ４３に着脱自在に結合するようになっている。きらに、上記ＤＡインバータ６０の中央には薄肉の銅板６６が巻かれており、上記反射板ユニット５０のアース板５５の逆Ｗ型の先端部５５ａと接触するようになっている。
　また、上記大型の回路基板４２には、色合い（ＨＵＥ）調整つまみ４４、色の濃さ（ＣＯＬＯＲ）調整つまみ４５を回転自在に支持してある。これら各調整つまみ４４．４５の操作面は、上記液晶ディスプレイ本体４の底面４ｃより外部にそれぞれ露出している。
　そして、上記液晶ディスプレイ本体４のカラー液晶パネル４１と大型の回路基板４２とで構成きれるＬＣＤユニット内に、上記反射板ユニット５０及びＤＡインバータ６０を組み込む場合には、液晶ディスプレイ本体４の左側面の開口部４ｄより反射板ユニット５を挿入して回路基板４２に反射板ユニット５０の反射板５１を１本のねじ５６により固定し、次に、液晶ディスプレイ本体４の左側面と上記回路基板４２の左端部とで形成される隙間よりＤＡインバータ６０を挿入して、上記反射板ユニット５０の一対の雄コネクタ５３，５３と上記ＤＡインバータ６０の一対の雌コネクタ６１，６１を結合することにより容易に組み立てることができるようになっている。なお、上記液晶ディスプレイ本体４の左側面の開口部４ｄは蓋体４ｅで覆われている。
　また、上記液晶ディスプレイ本体４の右側面には、第３図に示すように、液晶パネル４１の明るさを調整するための明るさ調整つまみ４６、音量調整つまみ４７等をそれぞれ併設してある。きらに、上記液晶ディスプレイ本体４の正面には、第５図に示すように、画面表示ボタン４８ａ、カウンターリセットボタン４８ｂ、液晶画面入／切スイッチ４８ｃ、及び、スリーブタイマーボタン４９ａ、タイマー録画人／切ボタン４９ｂ、ネクストボタン４９ｃ、プラスボタン４９ｄ、タイマー設定／予約確認ボタン４９ｅ、現時刻設定ボタン４９ｆをそれぞれ併設してある。
　なお、上記液晶ディスプレイ本体４の底面４ｃの先端側には、第３，７図に示すように、ＶＴＲ本体２の薄肉部２ｂの上面の先端に形成された係止穴２ｆに係合して液晶ディスプレイ本体４の傾倒水平状態を保持するロックピン６を突設してある。また、上記液晶ディスプレイ本体４の起立状態は、ヒンジ５に巻き付けられた図示しないコイルバネにおり、起立状態が保持されるようになっている。
　以上実施例のＴＶ一体型ＶＴＲ１によれば、液晶ディスプレイ３の色合い、色の濃さを微調整する場合に、左手でＶＴＲ本体２を巻きえて右手で液晶ディスプレイ本体４を第３図の２点鎖線で示すように上方に所定角起立きせる。これにより、液晶ディスプレイ３の面面が見易くなり、液晶ディスプレイ３の画面を見ながら右手で色合い調整つまみ４４、色の濃き調整つまみ４５を容易に回して操作することができ、調整作業を容易に行うことができる。そして、携帯時等では、液晶ディスプレイ３を傾倒して、液晶ディスプレイ本体４の底面４ｃとＶＴＲ本体２の薄肉部２ｂの上面とは殆ど隙間なく当接した状態にあるので、上記各調整つまみ４４，４５は外部に露出することがなく、各調整つまみ４４，４５に誤って触れることを確実に防ぐことができる。なお、上記液晶ディスプレイ３が起立している場合でも、上記各調整つまみ４４，４５は液晶ディスプレイ本体４の底面４ｃに配設してあるので、各調整つまみ４４，４５を不用意に触れることがなく、使い勝手が良い。
　また、上記液晶ディスプレイ３は、ＬＣＤユニットの液晶パネル４１と回路基板４２の間に、液晶ディスプレイ本体４の左側面の開口部４ｄより反射板ユニット５０を挿入して、該反射板ユニット５０の反射板５１と回路基板４２とを１本のねじ５６で締結し、ＤＡインバータ６０を液晶ディスプレイ本体４の左側面と回路基板４２の左端部とで形成きれる隙間より挿入して、上記反射板ユニット５０の一対の雄コネクタ５３，５３と上記ＤＡインバータ６０の一対の雌コネクタ６１，６１を結合することにより容易に組み立てたり、上記と逆の工程により容易に分解することができる。これにより、蛍光管５２の交換時等に回路基板４２を分解せずに反射板ユニット５０毎容易に交換することができ、サービス性、信頼性を向上させることができる。また、上記反射板ユニット５０と上記ＤＡインバータ６０とを各コネクタ５３，６１を結合することにより一体化したので、高圧コードの配線処理が不要となると共に、高圧出力から蛍光管５２までの距離が短く電圧降下が少ない。さらに、反射板５１等が蛍光管５２のソケットを兼ねているので、その分部品点数を減らずことができ、低コスト化を図ることができる。
　尚、前記実施例によれば、色合い、色の濃きを調整する調整つまみを液晶ディスプレイ本体の底面に配置したが、調整つまみは上記色合い、色の濃さを調整する調整つまみに限られるものではない。また、前記実施例では、発光体として蛍光管を用いたが、これに限られず、発光体としてエレクトロルミネッセンス（ＥＬ）等を用いてもよい。
　［発明の効果］
　以上のように、この発明によれば、液晶ディスプレイ本体の液晶パネルの背面に、
反射板に少なくともＵ字状の
上記発光体の両端部近傍に夫々取付けられた第１のコネクタに、ＤＡインバータの回路基板の両端に夫々取付けられ上記第１のコネクタに対応する第２のコネクタ
合し
着脱・組立てがきわめて容易になると共に取付け状態が安定し、更にはコードの処理が不要となる。
蛍光管等発光体
【図面の簡単な説明】
　第１図はこの発明の一実施例を示す液晶ディスプレイの分解斜視図、第２図は同液晶ディスプレイを用いたＴＶ一体型ＶＴＲの平面図、第３図は同ＶＴＲの右側面図、第４図は同ＶＴＲの左側面図、第５図は同ＶＴＲの正面図、第６図は同ＶＴＲの背面図、第７図は第４図中Ａ−Ａ線矢視図、第８図は同ＶＴＲの斜視図、第９図は同液晶ディスプレイの一部を断面で示す組立て説明図、第１０図は同液晶ディスプレイに用いられる反射板ユニットの平面図、第１１図は電源スイッチのセンターポジションの説明図、第１２図は第１１図中Ｂ−Ｂ線に沿う断面図、第１３図は電源スイッチの電源オン／オフポジションの説明図、第１４図は第１３図中Ｃ−Ｃ線に沿う断面図、第１５図は電源スイッチのカメラライン切り換えポジションの説明図、第１６図は第１５図中Ｄ−Ｄ線に沿う断面図である。
　３…液晶ディスプレイ、４…液晶ディスプレイ本体、４１…液晶パネル、５０…反射板ユニット、５１…反射板、５２…蛍光管（発光体）、５３…コネクタ、６０…ＤＡインバータ、６１…コネクタ。